(57)【特許請求の範囲】
【請求項１】
側壁を備えた多数の突出部をゴルフ靴の底面に配置する方法であって、
ゴルフスイング中の水平方向及び鉛直方向の床反力を三次元床反力計で測定し、鉛直荷重に対する水平荷重の比率を算出するステップと、
この比率が最大値となる時点であるピーク時点を決定するステップと、
この比率が最大値に向かって上昇している段階にあってかつこの比率が最大値の６０％となる時点である開始時点と、この比率が最大値から下降している段階にあってかつこの比率が最大値の６０％となる時点である終了時点とを決定するステップと、
この開始時点と終了時点との間の、所定間隔の三次元床反力データの水平成分ベクトルをその原点を一致させて並べるステップと、
これらのベクトルの前端を結ぶ線である基準線を想定するステップと、
この基準線に沿って側壁が並ぶように突出部の位置を決定するステップと
を含むことを特徴とする配置方法。
【請求項２】
上記突出部の位置を決定するステップにおいて、ピーク時点の足圧が最大となる箇所の近傍に基準線に沿った側壁が存在するように突出部の位置が決定される請求項１に記載の配置方法。
【請求項３】
上記請求項１又は請求項２に記載の配置方法によって突出部が配置されたゴルフ靴。
【発明の詳細な説明】
【０００１】
【発明の属する技術分野】
本発明はゴルフ靴底の突出部の配置方法と、この配置方法によって突出部が配置されたゴルフ靴とに関するものである。
【０００２】
【従来の技術】
ゴルファーがゴルフボールを打撃する際は、左右の足を結ぶ線が打撃方向とほぼ平行となるようにアドレスする。右利きのゴルファーのアドレスでは、左足が打撃方向前側に位置し、右足が打撃方向後側に位置する。アドレスでは、ゴルフクラブのヘッドはゴルフボールの近くに位置する。この状態からテイクバックを開始し、ゴルファーはヘッドを後へ、次いで上方へと振り上げる。最もヘッドが振り上げられた位置がトップ位置である。トップ位置からダウンスイングが開始されてヘッドが振り下ろされ、ヘッドがゴルフボールと衝突する（インパクト）。インパクト後、ゴルファーはゴルフクラブを前方へ、次いで上方へと振り抜き（フォロースルー）、フィニッシュを迎える。
【０００３】
トップ位置からフィニッシュにかけて、ゴルファーは左足を軸としてボディターンを行う。同時にゴルファーは、右足で地面を蹴ってその力をゴルフボールに伝える。つまり、右利きのゴルファーは、左足を軸足として使い、右足を蹴足として使う。左利きゴルファーの場合は、逆に右足を軸足として使い、左足を蹴足として使う。
【０００４】
トップ位置からフィニッシュにかけて、ゴルファーの両足には大きな力がかかる。この力によって、ゴルフ靴が地面とスリップを起こすことがある。スリップが起こると、スイングフォームが乱れてミスショットが発生してしまうことがある。
【０００５】
スリップの防止のため、ゴルフ靴の底面に針状の金属製スパイクピンが設けられることがある。このゴルフ靴ではスリップはかなり防止されるものの、スパイクピンがパッティンググリーンの芝生、クラブハウスの床、ゴルフコース中に設けられた歩行用通路の路面等を傷めるという問題が指摘されている。従って、金属製スパイクピンを備えたゴルフ靴は近年ではあまり好まれて用いられてはいない。
【０００６】
スパイクピンに代えてゴムや合成樹脂からなる突出部が底面に設けられたゴルフ靴が提案され、普及しつつある。このゴルフ靴では、芝生等が傷つけられることが少ない。
【０００７】
【発明が解決しようとする課題】
しかしながら、このゴルフ靴では、ゴルフスイング中の荷重方向が十分考慮されて突出部が配置されているわけではなく、特に前述のような左右の足の役割についてはほとんど配慮がなされていない。従って、このゴルフ靴には、スリップ防止（すなわち防滑）の観点から未だ改良の余地がある。
【０００８】
本発明はこのような実状に鑑みてなされたものであり、防滑性能に優れたゴルフ靴のための突出部の配置方法の提供をその目的とするものである。
【０００９】
【課題を解決するための手段】
上記の目的を達成するためになされた発明は、
側壁を備えた多数の突出部をゴルフ靴の底面に配置する方法であって、
ゴルフスイング中の水平方向及び鉛直方向の床反力を三次元床反力計で測定し、鉛直荷重に対する水平荷重の比率を算出するステップと、
この比率が最大値となる時点であるピーク時点を決定するステップと、
この比率が最大値に向かって上昇している段階にあってかつこの比率が最大値の６０％となる時点である開始時点と、この比率が最大値から下降している段階にあってかつこの比率が最大値の６０％となる時点である終了時点とを決定するステップと、
この開始時点と終了時点との間に所定間隔で測定された三次元床反力データの水平成分ベクトルをその原点を一致させて並べるステップと、
これらのベクトルの前端を結ぶ線である基準線を想定するステップと、
この基準線に沿って側壁が並ぶように突出部の位置を決定するステップと
を含むことを特徴とする配置方法、
である。
【００１０】
ゴルフスイングは、旋回運動（ボディターン）と並進運動とが混合された非常に複雑な運動様式である。従って、スイング中の足の挙動も極めて複雑である。本発明の配置方法によって得られたゴルフ靴では、基準線に沿って側壁が並ぶように突出部が配置されるので、足が複雑な挙動を示すゴルフスイングであっても、優れた防滑効果が得られる。本明細書では、基準線に沿った側壁は防滑面とも称される。
【００１１】
好ましくは、スイング中の足圧分布が測定され、ピーク時点の足圧が最大となる箇所の近傍に防滑面が存在するように突出部が配置される。これにより、スイング中に最もスリップが起こりやすい局面での防滑が達成されうる。
【００１２】
【発明の実施の形態】
以下、適宜図面が参照されつつ、本発明の実施形態が説明される。
【００１３】
図１は、三次元床反力計による測定の様子が示された模式図である。この図には、ゴルファーの足１と、ゴルフ靴３と、三次元床反力計５と、コンピュータ７とが示されている。ゴルフ靴３は、アッパー部９と、アウトソール１１と、インソール１３とを備えている。三次元床反力計５としては、例えばキスラー社の「水晶圧電式多成分フォースプレート９２８７Ｂ」が好適に用いられうる。また、この三次元床反力計５によって床反力を測定する方法は、例えば特開平９−２０１２０８号公報等に開示されている。
【００１４】
図２は、本発明の配置方法の手順の一例が示されたフローチャートである。この配置方法では、まず、三次元床反力計５によって床反力が測定される（ＳＰ１）。この三次元床反力計５では、水平方向及び鉛直方向の荷重が測定される。測定は、ゴルファーにゴルフクラブを持たせ、これをスイングさせて行われる。測定データの信号はケーブル１４を通じてコンピュータ７に送られる。そして、水平荷重の垂直荷重に対する比率が、時刻歴として算出される（ＳＰ２）。
【００１５】
図３は、水平荷重の垂直荷重に対する比率が示されたグラフである。本発明の配置方法では、比率線Ｒが最大値Ｐとなる時点（すなわちピーク時点Ｔｐ）が決定される（ＳＰ３）。次に、比率が最大値Ｐの６０％であることを示す横線Ｌが引かれ、比率線Ｒと横線Ｌとの交点Ｓ及びＥが求められる。そして、交点Ｓの時点Ｔｓと、交点Ｅの時点Ｔｅとが決定される（ＳＰ４）。この時点Ｔｓは、比率が最大値Ｐに向かって上昇している段階にあって最大値Ｐの６０％となる時点（すなわち開始時点）である。また、時点Ｔｅは、比率が最大値Ｐから下降している段階にあって最大値Ｐの６０％となる時点（終了時点）である。
【００１６】
次に、開始時点Ｔｓから終了時点Ｔｅまで間の、所定間隔の三次元床反力データの水平成分ベクトルが、互いの原点が一致するように並べられる（ＳＰ５）。この間隔は、開始時点Ｔｓから終了時点Ｔｅまでの時間を３以上、好ましくは５以上、さらに好ましくは７以上に等分するような間隔である。
【００１７】
図４は、所定間隔をおいて測定された水平成分ベクトルが並べられた模式図である。この図は右利きゴルファーの軸足（左足）についての測定データから得られたものであり、鉛直方向上方から下向きに見たものである。この例では、開始時点Ｔｓから終了時点Ｔｅまでの時間が５等分されており、ベクトルＶは６本示されている。最も右側のベクトルＶは開始時点Ｔｓにおけるものであり、最も左側のベクトルＶは終了時点Ｔｅにおけるものである。ベクトルＶは、開始時点Ｔｓから終了時点Ｔｅにかけて、図中反時計回りに移行する。
【００１８】
次に、これらのベクトルＶの前端を結ぶ線（基準線Ｂｊ）が想定される（ＳＰ６）。この基準線Ｂｊは本来的には折れ線となるが、これが曲線に近似されるのが好ましい。近似の方法としては、移動平均法又はスプライン平滑化法によってなされるのが好ましい。
【００１９】
軸足では、力は大まかには踵から爪先に向かう方向（以下「正面方向」と称される）にかかっている。詳細には、トップ位置では力の方向はやや打撃方向後側向きな正面方向ある。スイングの進行に応じて力の方向は完全な正面方向へ、そしてやや打撃方向前側向きな正面方向へと移行する。これらの変化は、軸足が軸とされたボディーターンと体重の移動とに起因すると考えられる。軸足がこのような挙動を示すので、軸足靴体の基準線Ｂｊは図４に示されるように正面方向に対して凸な形状となる。
【００２０】
図５は、右利きゴルファーの蹴足（右足）についての測定データから得られたベクトルＶと基準線Ｂｋとが示された模式図である。この例でも、開始時点Ｔｓから終了時点Ｔｅまでの時間が５等分されており、ベクトルＶは６本示されている。最も右側のベクトルＶは開始時点Ｔｓにおけるものであり、最も左側のベクトルＶは終了時点Ｔｅにおけるものである。ベクトルＶは、開始時点Ｔｓから終了時点Ｔｅにかけて、図中時計回りに移行する。
【００２１】
蹴足では、力は大まかには爪先から踵に向かう方向（以下「背面方向」と称される）にかかっている。詳細には、トップ位置では力の方向はやや打撃方向前向きな背面方向である。スイングの進行に応じて力の方向は完全な背面方向へ、そしてやや打撃方向後向きな背面方向へと移行する。これらの変化は、ダウンスイング開始時の蹴足から軸足への体重移動と、その後の蹴足の回転とに起因すると考えられる。蹴足がこのような挙動を示すので、蹴足靴体の基準線Ｂｋは図５に示されるように背面方向に対して凸な形状となる。なお、一部のゴルファーでは、図５における反時計回りにベクトルＶが移行することもあるが、この場合であっても得られる基準線Ｂｋの形状はほぼ同等である。
【００２２】
図６は、左足用のゴルフ靴３の底面が基準線Ｂｊと共に示された模式図である。この図に置いて線分Ｌｃは、底面の最大長さを示す線分である。また、直線Ｌ１は、線分Ｌｃから最も左に離れた位置Ｐ１を通過する、線分Ｌｃと平行な直線である。また、直線Ｌ２は、線分Ｌｃから最も右に離れた位置Ｐ２を通過する、線分Ｌｃと平行な直線である。図４で想定された基準線Ｂｊは、その一端が直線Ｐ１上に位置し、かつ他端が直線Ｐ２上に位置するように、変倍（拡大又は縮小）される。そして、複数個が、底面上に配置される（ＳＰ７）。なお、図６は底面図なので、基準線Ｂｊは、図４に示されたものが反転された形状となっている。
【００２３】
次に、この基準線Ｂｊに沿って側壁が並ぶように、突出部の位置が決定される。基準線Ｂｊに沿った側壁は、防滑面となる。図示はされていないが、右足用のゴルフ靴３の場合は、基準線Ｂｋに沿って側壁が並ぶように突出部の位置が決定される。基準線Ｂｋに沿った側壁は、防滑面となる。こうして、ゴルフ靴３の底面への突出部の配置が完了する（ＳＰ８）。
【００２４】
図７（ａ）は本発明の配置方法によって得られたゴルフ靴３の軸足靴体１５（右利きゴルファーにとっての左足用の靴体）が示された底面図であり、図７（ｂ）はそのＢ−Ｂ線に沿った断面図である。また、図７（ｃ）はこのゴルフ靴３の蹴足靴体１７（右利きゴルファーにとっての右足用の靴体）が示された底面図であり、図７（ｄ）はそのＤ−Ｄ線に沿った断面図である。なお、図示されていないが、このゴルフ靴３は、通常のゴルフ靴３と同様のアッパー部９等を備えている。図７（ａ）及び図７（ｃ）において右方向が打撃方向前側であり、左方向が打撃方向後側である。また、図７（ａ）から図７（ｄ）において上方向が爪先方向であり、下方向が踵方向である。
【００２５】
図７（ａ）及び図７（ｂ）から明らかなように、軸足靴体１５は突出部としての筋山１９を多数備えている。筋山１９の前方側壁２１は鉛直方向に起立しており、後方側壁２３は鉛直方向に対して傾斜している。この軸足靴体１５では、前方側壁２１が基準線Ｂｊ（図４参照）に沿うように筋山１９が形成されている。従って、筋山１９の形状も正面方向に対して凸である。前方側壁は１９、防滑面でもある。この防滑面によって、軸足のスリップが防止される。
【００２６】
図７（ｃ）及び図７（ｄ）から明らかなように、蹴足靴体１７も突出部としての筋山２５を多数備えている。筋山２５の後方側壁２７は鉛直方向に起立しており、前方側壁２９は鉛直方向に対して傾斜している。この蹴足靴体１７では、後方側壁２７が基準線Ｂｋ（図５参照）に沿うように筋山２５が形成されている。従って、筋山２５の形状も背面方向に対して凸である。後方側壁２７は、防滑面でもある。この防滑面によって、蹴足のスリップが防止される。
【００２７】
三次元床反力の測定と同期されて、スイング中の足圧分布が測定されるのが好ましい。足圧分布の測定は、足圧センサ（例えばニッタ社の「ｆ−ｓｃａｎ」）によって測定される。足圧センサによって、スイング中の各時点の足圧分布が求められる。そして、ピーク時点Ｔｐの足圧が最大となる箇所に防滑面が位置するように、筋山１９、２５の位置の決定がなされるのが好ましい。これにより、最もスリップが起こりやすいピーク時点Ｔｐにおける防滑効果が向上する。
【００２８】
図７（ａ）においてＷｐで示される領域は、軸足のピーク時点Ｔｐにおいて足圧が最も高い領域である。軸足靴体１５では領域Ｗｐに防滑面が存在しているので、最もスリップが生じやすいピーク時点Ｔｐにおける防滑効果が高い。また、図７（ｃ）においてＷｐで示される領域は、蹴足のピーク時点Ｔｐにおいて最も足圧が高い領域である。蹴足靴体１７では領域Ｗｐに防滑面が存在しているので、最もスリップが生じやすいピーク時点Ｔｐにおける防滑効果が高い。
【００２９】
また、ピーク時点Ｔｐの足圧が最大となる箇所以外への防滑面の配置も、なるべくスリップが防止されるように工夫が施されるのが好ましい。好ましい配置方法の具体例としては、以下のような配置方法が挙げられる。
（１）開始時点Ｔｓから終了時点Ｔｅまでの各時点において最大足圧となる箇所全てに防滑面を配置する。
（２）鉛直荷重に対する水平荷重の比率が０．５以上である各時点において最大足圧となる箇所全てに防滑面を配置する。
（３）踏みつけ部分（足１の指の付け根から、土踏まずの前端までの部分）に重点的に防滑面を配置する。
（４）ダウンスイング開始時点の水平荷重の中心に防滑面を配置する。
（５）スイング中において水平荷重が６０Ｎ以上となる領域全てにおいて、この領域内に少なくとも１つの防滑面を配置する。
【００３０】
足圧センサの位置はゴルフ靴３と三次元床反力計５との間でもよいが、ゴルフ靴３の内部に設けられるのが好ましい。これにより、ゴルファーの足１の挙動が直接的に足圧センサに伝わり、足圧分布の測定精度が向上する。
【００３１】
防滑面が水平方向に対してなす内角の角度は、６０°（ｄｅｇｒｅｅ）以上、特には８０°以上が好ましい。角度が上記範囲未満であると、防滑効果が不十分となってしまうことがある。また、内角の角度は、１２０°以下、特には９０°以下が好ましい。内角の角度が上記範囲を超えると、筋山１９、２５の間に土が詰まりやすくなり、またアウトソール１１成形時の脱型が困難となってしまうことがある。
【００３２】
全ての側壁（図７の例では前方側壁２１、２９及び後方側壁２３、２７）に占める防滑面の面積比率は１０％以上が好ましく、２５％以上が特に好ましく、４０％以上がさらに好ましい。面積比率が上記範囲未満であると、ゴルフ靴３の防滑効果が不十分となってしまうことがある。防滑効果の観点から面積比率は多きほど好ましいが、筋山１９、２５の形成には防滑面以外の側壁（後方側壁２３及び前方側壁２９）も必要なので、面積比率は通常は８０％以下である。
【００３３】
図７（ａ）から図７（ｄ）のゴルフ靴３は右利きゴルファー用のものであるが、左利きゴルファー用のゴルフ靴３の場合は、図７（ａ）及び図７（ｃ）に示された筋山１９、２５が左右反転された形状の筋山となる。
【００３４】
図８（ａ）は本発明の配置方法によって得られた他のゴルフ靴の軸足靴体３１が示された底面図であり、図８（ｂ）はそのＢ−Ｂ線に沿った断面図である。また、図８（ｃ）はこのゴルフ靴の蹴足靴体３３が示された底面図であり、図８（ｄ）はそのＤ−Ｄ線に沿った断面図である。なお、図示されていないが、このゴルフ靴は、通常のゴルフ靴と同様のアッパー部９等を備えている。図８（ａ）及び図８（ｃ）において右方向が打撃方向前側であり、左方向が打撃方向後側である。また、図８（ａ）から図８（ｄ）において上方向が爪先方向であり、下方向が踵方向である。
【００３５】
図８（ａ）及び図８（ｂ）から明らかなように、軸足靴体３１は突出部としての凸状ブロック３５を多数備えている。底面のうち凸状ブロック３５以外の部分は、凹陥部３７である。凸状ブロック３５の前方側壁３９は鉛直方向に起立しており、後方側壁４１は鉛直方向に対して傾斜している。
【００３６】
前述のように、軸足靴体３１の基準線Ｂｊ（図４参照）は正面方向に対して凸な形状となる。図８（ａ）及び図８（ｂ）に示された軸足靴体３１では、前方側壁３９が基準線に沿うように凸状ブロック３５が配列されている。この前方側壁３９は、防滑面でもある。この防滑面によって、軸足のスリップが防止される。図８（ａ）においてＷｐで示される領域は、ピーク時点Ｔｐにおいて最も足圧が高い領域である。軸足靴体３１では領域Ｗｐに防滑面が存在しているので、最もスリップが生じやすいピーク時点Ｔｐにおける防滑効果が高い。
【００３７】
図８（ｃ）及び図８（ｄ）から明らかなように、蹴足靴体３３も突出部としての凸状ブロック４３を多数備えている。底面のうち凸状ブロック４３以外の部分は、凹陥部４５である。凸状ブロック４３の後方側壁４７は鉛直方向に起立しており、前方側壁４９は鉛直方向に対して傾斜している。
【００３８】
前述のように、蹴足靴体３３の基準線Ｂｋ（図５参照）は背面方向に対して凸な形状となる。図８（ｃ）及び図８（ｄ）に示された蹴足靴体３３では、後方側壁４７が基準線に沿うように凸状ブロック４３が配列されている。この後方側壁４７は、防滑面でもある。この防滑面によって、軸足のスリップが防止される。図８（ｃ）においてＷｐで示される領域は、ピーク時点Ｔｐにおいて最も足圧が高い領域である。蹴足靴体３３では領域Ｗｐに防滑面が存在しているので、最もスリップが生じやすいピーク時点Ｔｐにおける防滑効果が高い。
【００３９】
この軸足靴体３１及び蹴足靴体３３においても、防滑面が水平方向に対してなす内角の角度は、６０°（ｄｅｇｒｅｅ）以上、特には８０°以上が好ましい。角度が上記範囲未満であると、防滑効果が不十分となってしまうことがある。また、内角の角度は、１２０°以下、特には９０°以下が好ましい。内角の角度が上記範囲を超えると、凹陥部３７、４５に土が詰まりやすくなり、またアウトソール１１成形時の脱型が困難となってしまうことがある。
【００４０】
この軸足靴体３１及び蹴足靴体３３においても、全ての側壁（前方側壁３９、４９、後方側壁４１、４７及び左右の側壁）に占める防滑面の面積比率は１０％以上が好ましく、２５％以上が特に好ましく、４０％以上がさらに好ましい。面積比率が上記範囲未満であると、ゴルフ靴３の防滑効果が不十分となってしまうことがある。防滑効果の観点から面積比率は多きほど好ましいが、凸状ブロック３５、４３の形成には防滑面以外の側壁も必要なので、面積比率は通常は８０％以下である。
【００４１】
図８（ａ）から図８（ｄ）のゴルフ靴は右利きゴルファー用のものであるが、左利きゴルファー用のゴルフ靴の場合は、図８（ａ）及び図８（ｃ）に示された凸状ブロック３５、４３が左右反転された形状の凸状ブロックとなる。
【００４２】
【実施例】
以下、実施例によって本発明の効果が明らかにされるが、この実施例の記載に基づいて本発明が限定的に解釈されるべきでないことはもちろんである。
【００４３】
［実施例］
ソール部分が発泡ゴムからなる市販の紳士用革靴を用意し、電熱ナイフで底面に筋溝を彫り込んで筋山を形成し、実施例１のゴルフ靴を得た。軸足靴体（左足用）の筋山を、図７（ａ）及び図７（ｂ）に示されるような、正面方向に凸であり、前方側壁が鉛直方向に起立しており、後方側壁が鉛直方向に対して傾斜している形状とした。また蹴足靴体（右足用）の筋山を、図７（ｃ）及び図７（ｄ）に示されるような、背面方向に凸であり、後方側壁が鉛直方向に起立しており、前方側壁が鉛直方向に対して傾斜している形状とした。
【００４４】
［比較例］
軸足靴体及び蹴足靴体の筋山を打撃方向に伸びる直線状とし、前方側壁及び後方側壁を鉛直方向に起立する形状とした他は実施例と同様にして、比較例のゴルフ靴を得た。
【００４５】
［ゴルフ靴の評価］
右利きのゴルファー１０名それぞれに、実施例及び比較例のゴルフ靴を着用させ、ゴルフ場のティグラウンドでドライバーにてゴルフボールを打撃させた。そして、防滑性を、「１」から「５」の５段階で官能評価させた。最もスリップしにくいものを「５」とし、最もスリップしやすいものを「１」とした。１０名のゴルファーの評価点の平均値が、下記の表Ｉに示されている。
【００４６】
【表１】
0004439691.tif 000002
【００４７】
表Ｉにおいて、実施例のゴルフ靴は比較例のゴルフ靴に比べて評価点が優れている。このことから、本発明の優位性が確認された。
【００４８】
【発明の効果】
以上説明されたように、本発明の突出部配置方法によれば、防滑性能に優れたゴルフ靴が得られる。このゴルフ靴をゴルファーが着用することにより、スイング中のスリップが防止される。これにより、スイングフォームの乱れによるミスショットが抑制される。
【図面の簡単な説明】
【図１】図１は、三次元床反力計による測定の様子が示された模式図である。
【図２】図２は、本発明の配置方法の手順の一例が示されたフローチャートである。
【図３】図３は、水平荷重の垂直荷重に対する比率が示されたグラフである。
【図４】図４は、所定間隔をおいて測定された水平成分ベクトルが並べられた模式図である。
【図５】  図５は、右利きゴルファーの蹴足についての測定データから得られたベクトルＶと基準線Ｂｋとが示された模式図である。
【図６】図６は、左足用のゴルフ靴の底面が基準線Ｂｊと共に示された模式図である。
【図７】図７（ａ）は本発明の配置方法によって得られたゴルフ靴の軸足靴体が示された底面図であり、図７（ｂ）はそのＢ−Ｂ線に沿った断面図であり、図７（ｃ）はこのゴルフ靴の蹴足靴体が示された底面図であり、図７（ｄ）はそのＤ−Ｄ線に沿った断面図である。
【図８】図８（ａ）は本発明の配置方法によって得られた他のゴルフ靴の軸足靴体が示された底面図であり、図８（ｂ）はそのＢ−Ｂ線に沿った断面図であり、図８（ｃ）はこのゴルフ靴の蹴足靴体が示された底面図であり、図８（ｄ）はそのＤ−Ｄ線に沿った断面図である。
【符号の説明】
３・・・ゴルフ靴
５・・・三次元床反力計
１５、３１・・・軸足靴体
１７、３３・・・蹴足靴体
１９、２５・・・筋山
２１、２９、３９、４９・・・前方側壁
２３、２７、４１、４７・・・後方側壁
３５、４３・・・凸状ブロック
３７、４５・・・凹陥部
【図１】
0004439691.tif 000003
【図２】
0004439691.tif 000004
【図３】
0004439691.tif 000005
【図４】
0004439691.tif 000006
【図５】
0004439691.tif 000007
【図６】
0004439691.tif 000008
【図７】
0004439691.tif 000009
【図８】
0004439691.tif 000010